(57)【要約】バックライトを有する表示装置において画像を表示するための方法であって、画像は周期により周期的に更新される、方法について開示している。その方法は、その周期において表示されるようになっている画像のコンテンツに依存して各々の周期についてパルスパターンを有する信号を生成する段階と、信号にしたがってバックライトをアクティブにする段階とを有する。更に、表示パネル（１０２）及びバックライトユニットを有する表示装置（１００）であって、バックライトユニットは制御器（１０４）及び照明装置を有する。表示装置について開示されている。制御器（１０４）は制御信号を生成するように適合され、照明装置は制御信号にしたがって表示パネル（１０２）にバックライトを与えるように備えられ、制御信号は表示される画像のコンテンツに依存するパルスパターンを有する。
2008525839.tif 000002
【特許請求の範囲】
【請求項１】
バックライトを有する表示装置において画像を表示するための方法であって、前記画像は周期により周期的に更新される、方法であり：
前記周期において表示されるようになっている画像のコンテンツに依存して各々の周期についてパルスパターンを有する信号を生成する段階；及び
前記信号にしたがって前記バックライトをアクティブにする段階；
を有する方法。
【請求項２】
請求項１に記載の方法であって、前記バックライトは複数の照明ユニットを有し、各々の照明ユニットは前記表示装置の部分に関連付けられ、信号を生成する前記段階及びバックライトをアクティブにする前記段階は、前記照明ユニットの各々に個別に適合されている、方法。
【請求項３】
請求項１又は２に記載の方法であって、前記パルスパターンは、前記の表示される画像のコンテンツが高い輝度を有するとき、各々の周期について複数のパルスを有する、方法。
【請求項４】
請求項３に記載の方法であって、前記複数のパルスは、表示される画像のコンテンツが後続の画像間で小さい変化を有するとき、前記周期において対称である、方法。
【請求項５】
請求項３又は４に記載の方法であって、前記複数のパルスは、表示される画像のコンテンツが後続の画像間で大きい変化を有するとき、前記周期において非対称である、方法。
【請求項６】
請求項１乃至５の何れ一項に記載の方法であって、前記パルスパターンは、前記の表示される画像のコンテンツが後続の画像間で大きい変化を有し且つ低い輝度を有するとき、各々の周期について１つのパルスを有する、方法。
【請求項７】
請求項１乃至６の何れ一項に記載の方法であって、コンテンツは後続の画像間で変化する、方法であり：
第１パターンを有する前記信号を生成する段階；
中間パターンを有する前記信号を生成する段階；及び
第２パターンを有する前記信号を生成する段階；
を更に有する方法であり、
前記中間パターンは、前記信号の平均値が前記第１パターンから前記第２パターンへの移行において一定に保たれる；
方法。
【請求項８】
請求項７に記載の方法であって、前記第１パターンは各々の周期について単一パルスであり、前記第２パターンは２つの対称パルスであり、そして前記中間パルスは異なる有効パルス輝度を有する２つのパルスである、方法。
【請求項９】
請求項７に記載の方法であって、前記第１パターンは各々の周期について２つの対称パルスであり、前記第２パターンは各々の周期について単一パルスであり、そして前記中間パルスは異なる有効パルス輝度を有する２つのパルスである、方法。
【請求項１０】
請求項７乃至９の何れ一項に記載の方法であって、各々の周期における前記パルスの統合された有効パルス輝度は一定である、方法。
【請求項１１】
表示パネル及びバックライトユニットを有する表示装置であって、前記バックライトユニットは制御器及び照明装置を有し、前記制御器は制御信号を生成するように適合され、前記照明装置は前記制御信号にしたがって前記表示パネルにバックライトを与えるように備えられ、前記制御信号は表示される画像のコンテンツに依存するパルスパターンを有する、表示装置。
【請求項１２】
請求項１１に記載の表示装置であって、前記バックライトユニットは複数の照明装置を有し、各々の照明装置は前記表示装置の部分と関連付けられ、そして前記制御信号は前記部分の各々に別個に適合されている、表示装置。
【発明の詳細な説明】
【技術分野】
【０００１】
本発明は、バックライトが表示される画像のコンテンツに応じて生成される方法及び表示装置に関する。
【背景技術】
【０００２】
ＬＣＤ（液晶）パネルは、サンプルホールド特性のために動きぼけが現れる。表示されるオブジェクトが動くとき、例えば、テレビの画像の場合、この動きぼけは、ビューアの網膜にオブジェクトのぼけた画像をもたらす。米国特許出願公開第２００４／００１２５５１Ａ号明細書において、現フレーム表示データに対応する値についてのデータを駆動する手段について開示されている。表示データの全フレームと比べて、変化を有する現フレームにおける表示データは、それ故、過剰に強調され、ピクチャ要素データに対する変化量より多い変化量がＬＣＤドライバに書き込まれる。更に、照明遅延時間、照明時間幅、照明時間間隔及びＬＣＤバックライティングの１フレームにおける照明の回数を制御するためのバックライト制御手段について、開示されている。しかしながら、フリッカ画像を回避するためには、バックライト制御を改善する必要がある、
【特許文献１】米国特許出願公開第２００４／００１２５５１Ａ号明細書
【発明の開示】
【発明が解決しようとする課題】
【０００３】
それ故、本発明の目的は、表示装置に画像を表示するための改善された方法及び改善された表示装置を提供することである。
【課題を解決するための手段】
【０００４】
上記目的は、バックライトを有する表示装置に画像を表示するための方法による本発明の第１特徴であって、画像は周期により周期的に更新される、第１特徴にしたがって達成される。その方法は、その周期に表示されるようになっている画像のコンテンツに依存する各々の周期についてパルスパターンを有する信号を生成する段階と、前記信号にしたがってバックライトをアクティブにする段階と、を有する。
【０００５】
この有利点は、バックライティングが、少ないフリッカとして認識される画像を与えるための表示画像のコンテンツに依存することである。
【０００６】
バックライトは複数の照明ユニットを有し、各々の照明ユニットはその表示の部分に関連付けられ、信号を生成する段階及びバックライトをアクティブにする段階はそれらの部分の各々に別個に適合されている。
【０００７】
この有利点は、異なる部分において非常に異なるコンテンツを有するコンテンツを有する画像が各々の部分で改善されることである。
【０００８】
パルスパターンは、表示される画像のコンテンツが比較的高い輝度を有するときに、各々の周期について複数のパルスを有することが可能である。
【０００９】
この有利点は、ビューアはしばしば、フリッカが多いとして明るい画像を認識するが、このことは、そのような画像についてバックライティング周波数を高くすることにより補償されることである。
【００１０】
用語“比較的高い輝度”は、これに関連して、平均的画像の平均的輝度より本質的に高い輝度であると解釈される必要がある。
【００１１】
複数のパルスは、表示される画像のコンテンツが後続画像間において小さい変化を有するとき、前記周期の間に対称であることが可能である。
【００１２】
この有利点は、画像が比較的静止しているとき、即ち、ビューアがフリッカを殆ど認識し、均等な分布により何れのぼけが導入されないとき、フリッカが減少されて最適化されることである。
【００１３】
複数のパルスは、表示される画像のコンテンツが後続画像間において大きく変化するとき、前記周期の間に非対称であることが可能である。
【００１４】
この有利点は、画像にたくさんの動きが存在するとき、パルスを非対称に分布させることにより、フリッカを減少させ、ぼけの影響を弱めることである。
【００１５】
表示される画像のコンテンツが後続画像間の大きい変化と、比較的低い輝度を有するとき、各々の周期について１つのパルスを有することが可能である。
【００１６】
用語“比較的低い輝度”は、これに関連して、平均的画像の平均的輝度より本質的に低い輝度であると解釈される必要がある。
【００１７】
この有利点は、ぼけの影響が弱められて最適化され、低輝度のために認識されるフリッカは無いか又は殆どないことである。
【００１８】
対称パルスとは、フレーム周期の各々の対応する部分について、有効輝度及び位置において並びに周波数の高多重について、フレーム周期の各々の半分におけるパルスが左右対称であることを意味する。非対称パルスは、フレーム周期の各々の対応する部分について、有効輝度及び／又は位置において並びに周波数の高多重について、フレーム周期の各々の半分におけるパルスが非対称性を有することを意味する。有効輝度はパルス振幅及び／又は幅に依存する。
【００１９】
コンテンツが変化する場合、その方法は、第１パターンを有する前記信号を生成する段階と、中間パターンを有する前記信号を生成する段階と、第２パターンを有する前記信号を生成する段階とを更に有することが可能であり、前記中間パターンは、前記信号の平均値が前記第１パターンから前記第２パターンへの移行のときに一定に保たれる。
【００２０】
この有利点は、何れの輝度のディップ又はピークを有することなく、１つの輝度パターンから他の輝度パターンへの継ぎ目のない移行である。このことは、１つのバックライティングパターンから他のバックライティングパターンへの移行が単一画像において、即ち、１つの部分から他の部分へと実行されるときに、特に有利である。
【００２１】
第１パターンが各々の周期について単一パルスであり、第２パターンが２つの対称なパルスであるとき、中間パターンは、異なる有効パルス輝度を有する２つのパルスであることが可能である。第１パターンが２つの対称パルスであり、第２パターンが各々の周期について単一パルスである場合、中間パターンは、異なる有効パルス輝度を有する２つのパルスであることが可能である。各々の周期において統合された前記パルスの有効パルス輝度は一定であることが可能である。
【００２２】
この有利点は、１つのバックライティングスキームから他のバックライティングスキームへの継ぎ目の無い移行に対して効果的な方法であることである。
【００２３】
上記の目的は、ディスプレイパネル及びバックライトユニットを有する表示装置により本発明の第２特徴にしたがって達成され、バックライトユニットは制御器及び照明装置を有し、制御器は制御信号を生成するように備えられ、照明装置は制御信号にしたがって表示パネルにバックライトを与えるように備えられ、制御信号は表示される画像のコンテンツに依存するパルスパターンを有する。
【００２４】
バックライトユニットは複数の照明装置を有することが可能であり、各々の照明装置は表示装置の部分に割り当てられ、制御信号はそれらの部分の各々に別個に適合される。
【００２５】
本発明の第２特徴の有利点は、本質的に第１特徴の有利点と同じである。
【００２６】
本発明の上記の特徴及び有利点並びに付加される目的については、添付図を参照して、例示としての、そして制限的でない以下の本発明の好適な実施形態の詳細説明により更に理解することができる。  
【発明を実施するための最良の形態】
【００２７】
図１は、ディスプレイパネル１０２を有するディスプレイ１００を示している。ＬＣＤ（液晶ディスプレイ）パネルであることが可能であるディスプレイパネル１０２はバックライト１０５を備えている。バックライト１０５は、例えば、発光ダイオード（ＬＥＤ）又はガス放電ランプのような１つ又はそれ以上の光源（図示せず）を有することが可能である。バックライトは、全体のパネル１０２について、又は、好適には、パネル１０２のバックライトセグメントを走査することにより点滅される。それ故、液晶（ＬＣ）セルは、フレーム時間の特定の一部のみについて照明される。パネル１０２のバックライト１０５に接続されているバックライト制御器１０４はバックライトの点滅を制御する。大きい領域のフリッカを回避するように、バックライト制御器１０４は、パネル１０２に表示される画像に依存するバックライト制御信号を供給する。それ故、バックライト制御器１０４はディスプレイ制御器１０６に接続され、そのディスプレイ制御器は、画像データ源１０８から画像データを順に受け入れる。本明細書は例示目的のためのものであり、バックライト制御器１０４及びディスプレイ制御器１０６の両方は共通ビデオ制御器であることが可能であり、又は２つ又はそれ以上のユニット間で分割されることが可能であり、それらは、バックライト及びディスプレイ制御器１０４、１０６として同じ機能を備えている。データ源１０８は、テレビ復号器、ＤＶＤプレーヤ、コンピュータ又はディスプレイ１００において視聴される画像を供給する何れの他の手段であることが可能である。
【００２８】
大きい領域のフリッカを低減し、動きぼけの低減を得る有効な方法は、高リフレッシュレートでパネルを駆動し、スムーズな動きを伴ってビデオレートを達成するように動き補償されたビデオのアップコンバージョンを用いるようになっている。ＬＣＤについては、しかしながら、約７５乃至８０Ｈｚにフレッシュレートを増加することは可能ではない。更に、動き補償によりビデオ信号をアップコンバートすることは非常に費用が掛かる。本発明は、フリッカ及び動きぼけを少なくすることができる、費用のあまり掛からない方法を提供する。
【００２９】
これを達成するように、バックライトは、２倍のリフレッシュ周波数又は大きい振幅で動作される。このことは、白色画像に対してさえ、フリッカ閾値を上回る高周波数輝度変調に繋がる。
【００３０】
下記の実施例において明確な見解を示すように、図６乃至２０はパルスズにおける複数のパルスパターンを示し、それらのパルス図については実施形態についての記載を参照することができる。パルス図は原理を示すものであり、それらの図から、当業者は、下記の実施形態にしたがった本発明の範囲について理解することができ、そして、パルスの形状、幅、振幅及び位置、並びに中間パルスパターンを介して１つのパルスパターンから他のパルスパターンへの変化の様式は、本発明の基本概念を不明瞭にすることを回避するように簡単化されている。
【００３１】
図６は、フレーム周期当たり単一の信号パルスを示すパルス図であり、即ち、１つのパルスがディスプレイのリフレッシュの各々の周期に与えられている。そのパルスにより、光発生手段を制御することにより、又はそのパルスを光発生手段の出力とみなされる、生成された有効な輝度は、パルス幅及びパルスの振幅に依存する。
【００３２】
図７は、対照なダブルパルスを示すパルス図であり、即ち、各々のフレーム周期に対して２つのパスルが与えられ、フレーム周期の各々の半分におけるパルスは、有効輝度及び位置において対称である。
【００３３】
図８は、非対照なダブルパルスを示すパルス図であり、それらのパルスは位置において対照であるが、有効輝度においては非対称であり、即ち、位置において対照な各々のフレーム周期に対して２つのパルスが存在するが、フレーム周期の各々の半分におけるパルスは有効輝度において非対称である。即ち、全体として考えると、ダブルパルスは非対称である。
【００３４】
図９は、非対称な単一のパルスを示すパルス図であり、ここで、そのパルスは、位置に関して非対称である。
【００３５】
図１０は、パルスの振幅が異なるために、パルスパターンが有効輝度に関して非対称である、非対称なダブルパルスを示すパルス図である。
【００３６】
図１１は、ダブルパルスパターンを示すパルス図であり、それらの２つのパルスは、図６に示すような単一のパルスパターンに比較的類似する照明効果を得るように互いに接近していて、それ故、擬似単一パルスを呼ばれる。
【００３７】
図１２は、ダブルパルスパターンを示すパルス図であり、それらの２つのパルスは、かなり異なるパルス幅を有することにより非常に異なる有効輝度を与える。また、このパターンにより、図９に示すような単一のパルスパターンに比較的類似する照明効果が得られ、それ故また、擬似単一パルスと呼ばれる。図１３は、更に極端な擬似単一パルスパターンを示し、２つのパルスは、パルス幅及び振幅の両方において非常に異なっている。
【００３８】
図１４は、２つのパルスパターン間の移行を示すパルス図であり、輝度ピークはその移行において生じる。ここでは、ブラケットで印付けされている周期中、平均パルス幅及び振幅は他の周期におけるより大きく、輝度ピークをビューアが認識することが可能である。
【００３９】
図１５は、２つのパルスパターン間の移行を示すパルス図であり、輝度ディップはその遷移において生じる。ここでは、ブラケットで印付けされている周期中、平均パルス幅及び振幅は他の周期におけるより小さく、輝度ピークをビューアが認識することが可能である。
【００４０】
図１６は、８つの対称パルスを有する第１パルスパターンと、中間パルスパターンを介して３つの対称パルスを有する他のパルスパターンに移行し、その中間パルスは非対称であり、５つのパルスを有する。
【００４１】
図１７は、図１２に示すパターンに類似した擬似単一パルスパターンから、中間パルスパターンを介して、図７に示すパターンに類似した対称パルスパターンへの移行を示すパスル図であり、その中間パルスは、ここでは、図１１に示す擬似単一パルスパターンに類似するように示されている。中間パルスパターンを介する遷移は、通常は、継ぎ目のない移行を得るように更に多くのパターンを有し、図１７は、図１４に示すような、生じる輝度ピークを回避するような原理を示している。
【００４２】
図１８は、更に極端なパルスパターンへの移行がなされるようになっているときに中間パルスパターンの用いる場合について示している。
【００４３】
図１９は、単一のパルスパターンから中間パルスパターンとしての擬似単一パルスパターンを介してダブルパルスパターンへの移行を示している。
【００４４】
図２０は、シーンシフトが起こっているときに、中間パルスパターンを伴わない瞬間移行を示すパルス図である。これは、輝度ディップ又は輝度ピークがシーンシフトにおいて可視的でないために可能である。それ故、中間パルスパターンを用いる移行は必要ない。
【００４５】
動作については、表示リフレッシュ周期におけるダブルパルス、即ち、ダブル周波数を用いる実施例により説明されるが、同じ原理は、周期における３つ又はそれ以上のパルス、即ち、周波数の高多重に対して適用できる。
【００４６】
完全なフリッカの減少のためには、それらの２つのパルスは、正確に半分のフレーム距離の間隔を置く、及び正確に同じ輝度を、即ち、図７に示す対象なパルスを有する必要があり、その結果、純粋に２倍の周波数のバックライトのパルス化が得られる。５０Ｈｚの表示リフレッシュ及び２倍フリッカについて、２つのパルスが５００ｃｄ／ｍ２の全表示輝度で輝度において０．５％異なるとき、フリッカは既に可視的であり、フリッカはパルス間の輝度で３．５％の差分において可視的である。
【００４７】
ランプは、好適には、固定電流で動作される。それ故、バックライト輝度変調は、好適には、パルス幅変調を用いて行われる。パルスはまた、一連の一様な高周波数パルスを有し、即ち、変調はパルス列のパルス数変調により行われることが可能である。更に、パルスの振幅が変調されることができ、上記のバックライト変調技術の組み合わせを適用することができる。
【００４８】
フリッカは、動きのない又は殆どない明るいシーンにおいて最も可視的であるが、フリッカはまた、動きがたくさんある明るいシーンにおいて可視的であり、後者の場合、動きぼけの問題が大きくなる。例えば、少し又はたくさん動きがある明るいシーンが一時停止されるとき、フリッカはより可視的になるが、動きぼけの問題は、勿論、消える。それ故、バックライトは、フリッカの問題が最も明らかであるとき、フレーム距離の半分に正確に距離を置いているフレームにおける２つのパルスにより、及びそれらの２つのパルスについて正確に同じ輝度を有して、ダブルパルスモードで動作される。
【００４９】
シーンで少しの又はたくさんの動きが存在するとき、単に、輝度変調において僅かな高周波数成分を導入する必要がある。それ故、バックライトは、フレーム距離の半分の距離を置いた２つのパルスにより、しかし、パルスの異なる輝度を有して動作される。第２パルスよりフレーム周期半分先の第１パルスは広い範囲のフリッカを減少する役割を担う一方、その第１パルスは、はっきりとして二重像をもたらさない又はぼけをもたらさないように輝度において十分に低いものである。第２パルスは主な輝度を与える。
【００５０】
代替として、図１１に示すように、半分のフレーム周期距離にパルスを分布されることに比べて、動画品質を改善するように、そして同時に、フリッカを減少させるように表示輝度においていくらか高い周波数を有するように、同じ輝度の２つのパルスは、共に近くに移動されることが可能である。動きぼけの減少は、ここでは、非対称に分布されたパルスが時間的に接近しているこの場合の２つの照明された画像によるものである。
【００５１】
非対称に分布されたパルスにより、フレーム周期の各々の半分におけるパルスは、フレーム周期の各々の対応する部分について、有効輝度及び位置において及び周波数の高多重について非対称である。
【００５２】
全デューティサイクルの４０％について、２５％乃至７５％のパルス比のフリッカは、中心間でフレーム周期の約２／７だけ各々距離を置いた２０％のデューティサイクルの２つのパルスと同じであることが観測された。動画品質は、自然シーン及びエッジ品質の両方についてのそれらの２つの場合には、非常に似ていることがまた、観測された。
【００５３】
動きがない又は殆どなく、シーンがあまり明るくないとき、非対称なパルス分布を用いることは好ましい。しかしながら、この場合、それは重要ではなく、バックライトのモードは、好適には、モード変化を回避するように、任意に選択されることが可能である。
【００５４】
たくさんの動きが存在し、シーンがあまり明るくないとき、フリッカの減少は必要なく、単一又は擬似単一パルスのバックライト動作が、たくさんの動きがあるシーンに対する最良の性能を得るように用いられることが可能である。
【００５５】
図２は、中間モード２０６、２０８を介する２つのモード２００、２０２の間の移行を示すモード移行図である。他のモードへの直接の移行が瞬時に実行される場合、第１モードの最後のパルスと第２モードの最初のパルスとの間に大きいギャップが存在する影響があり、図１５に示すように、パルスの平均値が一時的に低下することによる輝度ディップをもたらす、又は、第１モードの最後のパルスと第２モードの最初のパルスとの間に小さいギャップが存在する影響があり、図１４に示すように、輝度ピークをもたらす。バックライトのモードの変化におけるそれらのバックライトのディップ又はピークを回避するように、中間モード２０６、２０８は、継ぎ目のない移行を達成するように形成される。
【００５６】
このことを示すように、動作については図１に関連して上記した実施例におけるダブルパルス、即ち、ダブル周波数に対して説明されるが、上記のように、同じ原理が、３つ又はそれ以上のパルス、即ち、周波数の高多重について適用される。例示としての実施例については、単一パルスモード２００から対称なダブルパルスモード２０２への移行が実行されるようになっている。これは、例えば、低輝度でたくさんの動きを有するシーンが高輝度で動きがない又は殆どないシーンに変化する場合である。
【００５７】
第１移行２１０は第１中間モード２０６の方に実行される。このモードは、非対称なパルス、例えば、５％乃至９５％のパルス幅比と、それらのパルス間には小さい距離のみ、即ち、単一パルスパターンに比較的類似したダブルパルスパターンを有するダブルパルスモードであることが可能である。第２移行２１２は、次いで、非対称性が小さい２つのパルスを有する第２中間モード（図示せず）の方に実行され、次いで、パルス間のパルス幅比が殆ど５０％対５０％であり、パルス間の距離が、中心間で、殆どフレーム距離の半分である最後の中間モード２０８の方への移行２１４に対して、益々対称性が高い中間モードの方への更なる移行が実行される。最後の移行は、パルス間のパルス幅比が正確に５０％対５０％であり、パルス間の距離が、中心間で、正確にフレーム距離の半分である対称なダブルパルスモード２０２の方に実行される。モード２００、２０２間の移行は、そのとき完結し、ビューアが輝度において何れのディップ又はピークを認識しないように実行される。移行２１０、２１２、２１４、２１６は、各々のフレーム間で又は各々の組のフレーム間で実行されることが可能である。
【００５８】
代替として、図１９に示すように、移行は、等しい有効輝度を有する２つのパルスを有する擬似単一パルスパターンを生成し、次いで、対称パルスパターンに達するように１つ又はそれ以上の段階においてパルスを分離することにより実行される。
【００５９】
同様に、中間モード２０８、２０６及び移行２１８、２２０、２２２、２２４を介して、対称ダブルモード２０２から単一パルスモード２００への移行が適用される。
【００６０】
この実施例は、単一パルスモードと対称ダブルパルスモードとの間の移行を示している。同じ原理が、他のモード間、例えば、単一パルスモードと非対称ダブルパルスモードとの間、対称ダブルパルスモードと非対称ダブルパルスモードとの間に適用される。更に、その原理はまた、マルチパルスモードに適用可能である。移行の一般原理は、輝度ディップ又はピークを回避するように、一のモードから他のモードにパルスパターンを次第に変化させる中間モードを挿入することである。
【００６１】
シーンの変化が存在するとき、移行は、直接移行２２６により第１モード２００から第２モード２０２に、及び直接移行２２８により第２モード２０２から第１モード２００に直接、行われることが可能である。例えば、表示制御器からの制御信号は、バックライト制御器がそのような直接移行２２６、２２８を行うようにすることを可能にする。
【００６２】
図３は、画像コンテンツに関連するモード３１２、３１４、３１６間の移行３００、３０２、３０４、３０６、３０８、３１０を示すモード移行図である。移行３００、３０２、３０４、３０６、３０８、３１０の各々は、図２に示すような中間モードを有することが可能である。３つのモード３１２、３１４、３１６、例示として、例えば、単一パルスモード３１２、非対称ダブルパルスモード３１４及び対称ダブルパルスモード３１６が示されている。しかしながら、更なるモード、例えば、異なる擬似単一パルスモード、非対称モード及び３つ又はそれ以上のパルスを有するモードを有することが可能である。
【００６３】
図４は、本発明の実施形態にしたがった方法を示すフローチャートである。コンテンツ決定段階４００において、画像のコンテンツが決定される。コンテンツは、画像又は画像の一部の輝度と、画像における動きの存在とを有することが可能である。バックライト制御信号は、決定されたコンテンツに依存してバックライト生成段階４０２において生成される。この依存の実施例については、上で説明している。バックライトは、次いで、バックライト生成段階４０４においてバックライト制御信号に基づいてアクティブにされる。バックライトは、ランプ又はＬＥＤを駆動するバックライトドライバによりアクティブにされる。
【００６４】
図５は、モード移行についての方法を示すフローチャートである。第１パターン信号生成段階５００において、第１パターンを有するバックライト制御信号が生成される。第１パターンに比較的類似した中間パターンを有する信号が、中間パターン信号生成段階５０２において生成される。決定段階５０４において、更なる中間パターンが挿入されるべきかどうかの判定がなされる。これは動的に判定される、又は所定の移行手順により判定されることが可能である。更なるパターンが挿入されるようになっている場合、その方法は、中間パターン信号生成段階５０２に戻る。そうでない場合、その方法は、バックライトが第２モードで動作され、移行が準備できている第２パターン信号生成段階５０６に進む。
【００６５】
図２１は、表示パネル２１０２を有する表示装置２１００を示している。ＬＣＤ（液晶表示）パネルであることが可能である表示パネル２１０２は、複数のバックライティングユニット２１０５を備えている。バックライティングユニット２１０５の各々は、例えば、発光ダイオード（ＬＥＤ）又はガス放電ランプのような１つ又はそれ以上の照明ユニットを有することが可能である。バックライトは、全体のパネル２１０２について、又は好適には、バックライティングユニット２１０５を走査することにより点滅される。それ故、ＬＣセルは、フレーム時間の特定の一部についてのみ照明される。パネル２１０２のバックライティングユニット２１０５に接続されているバックライト制御器２１０４は、バックライトの点滅を制御する。広い領域のフリッカを回避するように、バックライト制御器２１０４は、パネル２１０２の関連部分に表示される画像に依存するバックライト制御信号を供給する。それ故、バックライト制御器は表示制御器２１０６に接続され、その表示制御器は、順次、画像データ源２１０８から画像データを受け入れる。この記載は例示目的のためのものであり、バックライト制御器２１０４及び表示制御器２１０６は共通のビデオ制御器である、又は、バックライト２１０４及び表示制御器２１０６と同じ機能を備えている２つ又はそれ以上のユニット間に分配されることが可能であることに留意する必要がある。データ源２１０８は、テレビ復号器、ＤＶＤプレーヤ、コンピュータ、又は表示装置２１００で視聴される画像を供給する何れの他の手段であることが可能である。
【００６６】
一部の場合には、画像コンテンツ、例えば、鮮明なサブタイトルの文字と伴った、上部の曇りの明るい空と下部の黒っぽい土地はセグメント化される。それ故、一部の場合、それに応じて、即ち、表示装置２１００に示されるべき画像の一部に関連するバックライティングユニット２１０５により、バックライトの駆動をセグメント化することは好ましい。本発明はまた、これに適用可能である。それ故、バックライティングは、各々の画像のタイプを改善するばかりでなく、バックライティングユニット２１０５に関連する画像の各々の部分を改善する。これを実施することができるように、考慮されるべき幾つかの事項がある。
【００６７】
画像の各々の部分について、画像の分析が実行され、ここでは、それらの部分は特定の照明ユニットにより照明される部分により規定される、又はそれらの部分は特定の種類の画像コンテンツを有することが可能である。
【００６８】
画像の部分間の境界における不所望の影響を回避するように、１つの部分のパルスパターンから他の部分のパルスパターンへの移行は、上記の第１バックライトと第２バックライトとの間の移行と同様に処理される。画像の２つの部分間の境界において動いているオブジェクトが存在する場合、異なるパルスパターンの異なる影響は、パルスパターンに関連するバックライティングユニット間のクロストークにより減少する。
【００６９】
ダブルパルスモード又はマルチパルスモードにおけるバックライティングの駆動は、ある場合に、単一パルスであるが同じ全パルス持続時間に比べてより多くの光を生成することに留意する必要がある。これに対する説明は、バックライトユニットについてのオフ時間はオン時間より長く続く。これは、バックライトユニットの一部のタイプの場合であり、逆の効果は、他のタイプのバックライトユニットについて観測される。上記のような照明の差は、擬似パルスパターンを用いることにより回避されることが可能である。擬似単一パルスパターンに対する代替として、無効分成分が安定する一部の付加時間を、それ故、幾らか鮮鋭な画像を与えるが、擬似単一、ダブル又はマルチパルスパターンに等しくするようにパルスに付加される補正係数を有する、単一パルスパターンが用いられる。実際の光源についての異なるパルスパターンのための補正計数を有するルックアップテーブルを有し、そのルックアップテーブルから、特に、画像の隣接区分において用いられるときに、異なるパルスパターン間の継ぎ目のない移行を可能にするように、補正係数が用いられる。
【００７０】
しかしながら、単一パルスパターン、デュアルパルスパターン又はマルチパルスパターン間で継ぎ目のない移行がなされるとき、次の手順を用いることができる。
ｉ）ダブルパルス又はマルチパルスが最も短い有効パルスより大きい場合、それらのパルスは定常位置に保たれる。
ｉｉ）ダブルパルス又はマルチパルスが、照明ユニットが処理することができる最短の特定のパルスより短くなるようになっているとき、それらのダブルパルス又はマルチパルスはそのパルスパターンの主パルスの方に次第に移動し、それ故、そのパルスパターンの補助パルスは、消えるようになっているときに、その主パルスに対してできるだけ近くにある。補助パルスは、それらが消えるまで、最小持続時間を維持する。このようにして、補助パルスがオフになる直前には、光の反応性成分の早過ぎる暴露のためのそれらのぼけに対する寄与は小さくなる。
ｉｉｉ）単一パルスモードが必要ないように条件が変わる場合、ダブル又はマルチパルスはそれらの定常位置に戻る。
ｉｖ）一旦、補助パルスが主パルスに近接すると、上記のように、光出力差についての補正係数を考慮して、それらのパルスはオフにされることが可能である。シーンシフトに関しては、その変化は瞬時になされる、即ち、段階ｉｖ）のみを実行することが可能である。
【図面の簡単な説明】
【００７１】
【図１】本発明の実施形態にしたがった表示装置を示す図である。
【図２】中間モードを介する２つのモード間の移行を示すモード移行を示す図である。
【図３】画像コンテンツに関連するモード間の移行を示すモード移行を示す図である。
【図４】本発明の実施形態にしたがった方法を示すフローチャートである。
【図５】モード移行についての方法を示すフローチャートである。
【図６】パルスを示す図である。
【図７】パルスを示す図である。
【図８】パルスを示す図である。
【図９】パルスを示す図である。
【図１０】パルスを示す図である。
【図１１】パルスを示す図である。
【図１２】パルスを示す図である。
【図１３】パルスを示す図である。
【図１４】パルスを示す図である。
【図１５】パルスを示す図である。
【図１６】パルスを示す図である。
【図１７】パルスを示す図である。
【図１８】パルスを示す図である。
【図１９】パルスを示す図である。
【図２０】パルスを示す図である。
【図２１】本発明の他の実施形態にしたがった表示装置を示す図である。
【図１】
2008525839.tif 000003
【図２】
2008525839.tif 000004
【図３】
2008525839.tif 000005
【図４】
2008525839.tif 000006
【図５】
2008525839.tif 000007
【図６】
2008525839.tif 000008
【図７】
2008525839.tif 000009
【図８】
2008525839.tif 000010
【図９】
2008525839.tif 000011
【図１０】
2008525839.tif 000012
【図１１】
2008525839.tif 000013
【図１２】
2008525839.tif 000014
【図１３】
2008525839.tif 000015
【図１４】
2008525839.tif 000016
【図１５】
2008525839.tif 000017
【図１６】
2008525839.tif 000018
【図１７】
2008525839.tif 000019
【図１８】
2008525839.tif 000020
【図１９】
2008525839.tif 000021
【図２０】
2008525839.tif 000022
【図２１】
2008525839.tif 000023
【国際調査報告】
2008525839.tif 000024
2008525839.tif 000025
2008525839.tif 000026